(57)【特許請求の範囲】
【請求項１】
複数の周波数と、該各周波数のそれぞれに割り当てられた複数の通信サービスとが予め設定された電界強度表示装置であって、前記予め設定された複数の通信サービスの内から１つの通信サービスを切換え選択するための切換え部と、該切換え部によって切換え選択された通信サービスに割り当てられている周波数の電界強度を検出する電界強度検出部と、該電界強度検出部によって検出された電界強度に応じたレベルを前記切換え選択された通信サービスの識別情報と併せて表示する表示部とを備えたことを特徴とする電界強度表示装置。
【請求項２】
前記識別情報は通信事業者の名称であることを特徴とする請求項１記載の電界強度表示装置。
【請求項３】
前記切換え部は、前記予め設定された複数の通信サービスの内から任意の１つの通信サービスを切換え選択するためのスイッチであることを特徴とする請求項１又は２記載の電界強度表示装置。
【請求項４】
前記スイッチは、前記予め設定された複数の通信サービスの内から予め設定された順番に前記各通信サービスを切り換えて１つの通信サービスを選択するためのスイッチであることを特徴とする請求項３記載の電界強度表示装置。
【発明の詳細な説明】
【０００１】
【発明の属する技術分野】
この発明は、例えば第二世代コードレス電話システム等のように、交信可能範囲が比較的狭い携帯型電話システムで使用するのに好適な電界強度表示装置に関する。
【０００２】
【従来の技術】
近年、携帯型無線電話機のように、いわゆるコードレス電話の使用が可能な電話システムが普及している。
このような携帯型無線電話機の場合、利用者が通話しようとしている場所の電界強度の強弱によって、必ずしも発呼や着呼が可能であるとは限らない。
このような問題を解決する従来の一つの対策として、例えば、携帯無線電話機の本体に、受信電界レベル表示器を着脱自在に取り付けることにより、常に安定した受信電界の情報が得られるようにした携帯無線電話機が提案されている（特開昭６２−１９８２４４号）。
【０００３】
また、従来の他の対策として、固定機から受信される電波が、予め設定された受信限界レベルに低下したとき、移動機の表示部にその状態を表示することによって、移動機を使用する通話者に警告するようにしたコードレス電話機も知られている（特開平１−３１７０５０号公報）。
さらに、制御チャネル監視手段によって制御チャネルの電波の有無を監視し、電波のあることを検出したとき、その旨を表示することによって、コードレス電話機の制御チャネルや通話チャネルの電波状態を通話者に知らせるようにしたコードレス電話機も提案されている（特開平４−２１３９３２号）。
これらのコードレス電話機では、いずれも表示部が電話機本体に設けられており、現在地の電界強度が十分であるか否かを確認するためには、電話機本体を取り出すことになる。
【０００４】
【発明が解決しようとする課題】
先に述べた従来例では、携帯無線電話機の本体に受信電界レベル表示器を着脱自在に取り付け、両者をコードで接続した携帯無線電話機の場合、受信電界レベル表示器には、電話機本体とを接続するコードがあるので、利用者は、これらの機器を常に持ち歩く必要があり、必ずしも携帯に便利であるとはいえない。
【０００５】
この発明では、小型軽量で、持ち運びに好適なＰＨＳ等の携帯型電話システムについて、現在地の電界強度が十分であるか否かを確認する必要がある場合、例えば、待ち受け中とか、逆に発呼の約束時刻の前に、予めその現在地の電界強度が十分であるかどうか確かめる等の操作に際して、その場所において複数の通信サービスの内から選択された通信サービスの電界強度を知ることができるようにして、電界強度表示装置の使い勝手を向上させることを目的とする。
【０００６】
【課題を解決するための手段】
請求項１の発明は、
複数の周波数と、その各周波数のそれぞれに割り当てられた複数の通信サービスとが予め設定された電界強度表示装置であって、上記予め設定された複数の通信サービスの内から１つの通信サービスを切換え選択するための切換え部と、その切換え部によって切換え選択された通信サービスに割り当てられている周波数の電界強度を検出する電界強度検出部と、その電界強度検出部によって検出された電界強度に応じたレベルを上記切換え選択された通信サービスの識別情報と併せて表示する表示部を備えた電界強度表示装置である。
【０００７】
請求項２の発明は、
上記のような電界強度表示装置において、上記識別情報を通信事業者の名称にしたものである。
【０００８】
請求項３の発明は、
上記のような電界強度表示装置において、上記切換え部を、上記予め設定された複数の通信サービスの内から任意の１つの通信サービスを切換え選択するためのスイッチにしたものである。
【０００９】
請求項４の発明は、
上記のような電界強度表示装置において、上記スイッチを、上記予め設定された複数の通信サービスの内から予め設定された順番に上記各通信サービスを切り換えて１つの通信サービスを選択するためのスイッチにしたものである。
【００１１】
【発明の実施の形態】
この発明の電界強度表示装置について、図面を参照しながら、その実施の形態を詳細に説明する。
まず、この発明に係わる機能を設ける基本装置となる電界強度表示装置について説明する。
この電界強度表示装置は、ＰＨＳ端末の利用者が、ＰＨＳ端末を取り出すことなく現在地の電界強度を確認することができるように、電界強度の表示専用の装置として、ＰＨＳ端末本体と独立している。
【００１２】
図１は、この電界強度表示装置について、その要部構成の一例を示す機能ブロック図である。図において、１はアンテナ、２は無線部、２ａは電界強度検出部、３は制御部、４は表示制御部、５はＬＣＤ、６は基地局を示す。
【００１３】
アンテナ１は、基地局６からの電波を受信し、無線部２内の電界強度検出部２ａで電界強度を検出する。
検出された電界強度の情報は、制御部３へ伝えられ、電界強度に応じたレベルを、ＬＣＤ５の画面上に可視表示するよう表示制御部４に対して表示命令が出力される。
表示制御部４は、この表示命令に従って、ＬＣＤ５の画面上に、現在の電界強度の情報を表示する。
以上のように、この電界強度表示装置では、基地局６からの電波を無線信号とし、現在の電界強度の情報を介して、ＬＣＤ５に可視表示する。
したがって、利用者は、このＬＣＤ５の表示を見れば、その場所の電界強度を知ることが可能になり、ＰＨＳ端末本体を鞄等から取り出す必要はない。
【００１４】
詳しくいえば、この電界強度表示装置は、例えば、ＢＣＣＨ（報知チャネル：チャネル構造に関する情報やシステム情報などの制御情報を報知によって転送するチャネル）を直接受信し、電界強度を測定してその測定結果をＬＣＤ５などの表示手段の画面上に表示する構成である。
そのため、ＰＨＳ端末本体との間での情報の授受を行う必要はなく、電界強度の表示専用の単体として、ＰＨＳ端末本体と独立した携帯型の電界強度表示装置を構成している。
なお、以上の説明では、第二世代コードレス電話システム等のように、交信可能範囲が比較的狭い携帯型電話システムの一例として、ＰＨＳ端末の場合を中心に説明したが、携帯型情報通信端末など一般の通信機についても、同様に利用が可能であることはいうまでもない。
【００１５】
第１の実施の形態
この第１の実施の形態では、暗所や、視覚障害者などの電界強度確認を容易にするために、上述した基本装置に音声出力機能を付加した点に特徴を有している。
【００１６】
図２は、この発明の音声出力機能を備えた電界強度表示装置について、その要部構成の実施の形態の一例を示す機能ブロック図である。図における符号は図１と同様であり、７は音声出力ボタン、８は音声出力部、９は記憶装置、１０はスピーカを示す。
【００１７】
この図２に示す電界強度表示装置には、音声出力をするか否かの選択を指示する選択入力手段として、音声出力ボタン７が付加されており、利用者が必要に応じて操作する。この音声出力ボタン７には、例えば押下時のみ音声出力を発生するスイッチを接続しておけば、利用者が電界強度を知りたいときに、音声によるメッセージが出力される。
また、電界強度に応じたメッセージ等の音声を出力するために、音声発生手段として、スピーカ１０と音声出力部８とが設けられると共に、電界強度を音声信号で生成するためのデータを記憶するためのメモリ手段として、記憶装置９が付設されている。
電界強度の検出とＬＣＤ５の画面上への可視表示の動作と、制御部３による制御は、先の図１と同様である。
【００１８】
図２の装置においては、制御部３は、音声出力ボタン７が押下されたことを確認すると、電界強度判断結果を音声出力部８に渡す。
音声出力部８は、十分な電界強度が得られているときは、予め記憶装置９に記憶された音声、たとえば「通話できます」のようなメッセージの音声をスピーカ１０から出力することによって、通話可能状態を利用者に知らせる。
また、電界強度が不十分なときは、「通話できません」というメッセージのように、通話不可能な状態を示す音声を出力する。
一方、電界強度が通話可能、不可能の中間レベルのときは、例えば「かかりにくい場所です」というメッセージのように、かかりにくい状況にあることを示す音声を出力する。
以上のように、この第１の実施の形態では、先の基本装置である電界強度表示装置に音声出力機能を付加しているので、暗所での使用時や、視覚障害者などが電界強度を確認する場合に、この付加された機能を利用すれば、極めて有用である。
【００１９】
第２の実施の形態
この第２の実施の形態では、携帯性を向上させるために、腕時計（リストウォッチ）との併用を可能にした点に特徴を有している。
具体的には、デジタル時計の表示機能を利用して電界強度の表示を行っており、機能的には、デジタル時計機能による時刻の表示と独立した電界強度表示機能を付加している。
【００２０】
図３は、この発明の腕時計型電界強度表示装置について、その概略構造の実施の形態の一例を示す斜視図である。図において、１１は液晶表示部、１２は時刻表示部、１３は電界強度表示部、１４は音声出力動作ボタン、１５はスピーカ、１６はアンテナ、１６ａはアンテナ１６の取り付け部、１７はベルトを示す。
【００２１】
この図３に示した腕時計型電界強度表示装置は、先の第１の実施の形態で説明した音声出力機能も併有している場合を示している。
もし、音声出力機能を付加しない装置の場合には、音声出力動作ボタン１４とスピーカ１５は不要である。
この図３の腕時計型電界強度表示装置は、従来の腕時計と同様に、液晶表示部１１とベルト１７から構成されており、液晶表示部１１の一部のエリアに、時刻表示部１２が設けられている。
この液晶表示部１１の一部のエリアを利用して、電界強度表示部１３を設けることにより、利用者は、現在地における電界強度を知ることができる。この図３の場合には、３本の棒状の図形の表示によって電界強度を示しているが、電界強度の表示形式は任意に設定することができる。
なお、アンテナ１６は、その取り付け部１６ａを折り曲げ可能に構成することによって、液晶表示部１１の外枠と接触する位置まで、あるいは外枠の一部に設けられた溝部へ収納することも可能である。
【００２２】
図４は、この発明の腕時計型電界強度表示装置について、その要部構成の実施の形態の一例を示す機能ブロック図である。図における符号は図１と同様であり、１８はデジタル時計部、１８ａは時計制御部、１９はＬＣＤを示す。
【００２３】
この図４に示した腕時計型電界強度表示装置は、先の図１に示した電界強度表示装置による表示機能と、デジタル時計機能による時刻表示とを、１個のＬＣＤ１９等の表示手段の画面上に可視表示する構成である。
この図４のＬＣＤ１９は、図３の液晶表示部１１に相当している。
デジタル時計部１８には時計制御部１８ａが内蔵されており、液晶表示部１１の所定エリア（時刻表示部１２）に、時刻を表示する。
また、制御部３は、表示制御部４に対して電界強度に応じたレベルを、ＬＣＤ１９の画面上に可視表示するよう表示命令を出力する。
この場合には、液晶表示部１１の所定エリア（電界強度表示部１３）に、電界強度を示すパターン等が表示される。
なお、図３の音声出力動作ボタン１４とスピーカ１５とを付加する場合には、図１の部分を、図２に示したような機能ブロック図に変更すればよい。
【００２４】
以上のように、この第２の実施の形態では、腕時計（リストウォッチ）の表示機能を利用して電界強度を表示するので、小型化が可能になると共に、携帯性も向上される。
逆にいえば、この発明の腕時計型電界強度表示装置を所持すれば、腕時計所持の必要性が回避される、ということもできる。
【００２５】
第３の実施の形態
先の第２の実施の形態では、腕時計（リストウォッチ）の表示機能を利用して電界強度を表示する場合について説明した。
この第３の実施の形態では、先の第２の実施の形態で説明した腕時計型電界強度表示装置を、電界強度表示のための液晶等の表示手段を持たないＰＨＳ端末本体と物理的に着脱可能にすると共に、ＰＨＳ端末本体との合体時の操作性を考慮して、表示手段の文字盤を９０度回転可能にした点に特徴を有している。
【００２６】
図５は、この発明の文字盤回転機構を備えた腕時計型電界強度表示装置について、その実施の形態の一例を示す略正面図で、（１）は通常時の状態、（２）はＰＨＳ端末本体への取り付け時の状態を示す図である。図における符号は図３と同様である。
【００２７】
先の図３に示した腕時計型電界強度表示装置は、この図５（１）に示すように、通常の腕時計と同様に、液晶表示部１１の文字の向きが、ベルト１７の長さ方向に対して垂直である。
しかし、この腕時計型電界強度表示装置は、図５（２）に示すように、液晶表示部１１の文字盤のみが、９０度回転可能である。
詳しくいえば、液晶表示部１１の外枠とアンテナ１６は、固定されており、液晶表示部１１の内部に配置された文字盤のみが回転可能になっている。
また、アンテナ１６は、その取り付け部１６ａは固定であるが、その取り付け部１６ａの固定軸を中心に回転可能に構成されており、図５（２）の場合には、紙面と垂直で、その裏側へ向けられた状態を示している（アンテナ１６の長軸方向は、紙面と垂直で、紙面の裏側へ突出された状態）。
このように、先の第２の実施の形態で述べた腕時計型電界強度表示装置について、その液晶表示部１１の内部に配置された文字盤のみを回転可能に構成することにより、次の図６に示すように、例えば表示機能を有しないＰＨＳ端末本体とを合体させて使用する場合に、操作性が向上される。
【００２８】
図６は、図３に示した腕時計型電界強度表示装置と表示機能を有しないＰＨＳ端末本体とを合体させた状態について、その実施の形態の一例を示す概略図である。図における符号は図３と同様であり、２１はＰＨＳ端末本体、２２はＰＨＳ端末のアンテナを示す。
【００２９】
この図６には、この発明の腕時計型電界強度表示装置を、先の図５（２）に示したように、液晶表示部１１の文字盤を９０度回転させた状態で、ＰＨＳ端末本体２１へ取り付けた状態を示している。
このＰＨＳ端末本体２１は、表示機能が設けられていない簡易型の場合で、正面にダイヤルボタンやフックスイッチ等が配置されている。
ここで、ＰＨＳ端末本体２１の形状について説明する。
【００３０】
図７は、脱着式電界強度表示装置装着部を有するＰＨＳ端末本体について、その構造の実施の形態の一例を示す図で、（１）は正面図、（２）は右側面図、（３）は底面図を示す。図における符号は図６と同様であり、２３は腕時計型電界強度表示装置収納部、２４は腕時計型電界強度表示装置のアンテナ挿入穴、２５はベルト装着部を示す。
【００３１】
この図７（１）〜（３）に示すＰＨＳ端末本体２１は、先の図６に示した表示機能を有しないＰＨＳ端末本体の外観図である。
このＰＨＳ端末本体２１には、腕時計型電界強度表示装置収納部２３と、腕時計型電界強度表示装置のアンテナ挿入穴２４、およびベルト装着部２５とが設けられている。
腕時計型電界強度表示装置収納部２３は、図６に示した腕時計型電界強度表示装置のケースの形状に合わせて凹ませることにより、腕時計型電界強度表示装置がズレないようにすると共に、ＰＨＳ端末本体２１と腕時計型電界強度表示装置の表面との凹凸をなくして、一体感を高めるようにしている。
この発明の腕時計型電界強度表示装置は、この図７（１）〜（３）のように、表示機能が設けられていない簡易型のＰＨＳ端末本体２１と組み合わせて収納できるようにすれば、非携帯時に、図６に示した腕時計型電界強度表示装置の保管が容易になり、携帯時には、図５（１）に示したように、液晶表示部１１の文字盤の向きを通常のデジタル時計と同様に回転させて腕に装着すればよい。
【００３２】
第４の実施の形態
現在のところ、我が国には、ＰＨＳ（第二世代コードレス電話システム）を業とする三事業者（ＮＴＴ−Ｐ，ＤＤＩ，ＡＳＴＥＬ）が存在している。
これらの各社には公衆用制御用キャリア（周波数）が個別に割り当てられているので、その内の一社の制御チャネルが検出できるように設定しておけば、任意の三事業者に対応することができる。
この第４の実施の形態は、複数の通信サービスの内の１つを選択して、その電界強度を検出／表示するためのキャリア切換え機能を付加すると共に、電界強度および選択された通信サービスの識別情報を可視表示させる点に特徴を有している。
【００３３】
図８は、この発明のキャリア切換え機能を備えた電界強度表示装置について、その実施の形態の一例を示す機能ブロック図である。図における符号は図１と同様であり、３１はキャリア切換えボタンを示す。
【００３４】
この図８に示した電界強度表示装置では、先の図１に示した基本装置の電界強度表示装置にキャリア切換えボタン３１が付加されている。
そして、予めこのキャリア切換えボタン３１によって任意の公衆用制御用キャリア（周波数）を選択しておけば、そのキャリアが割り当てられている一社の制御チャネルの電界強度が検出される。
このキャリア切換えボタン３１は、例えばトグルスイッチで構成されており、複数のＰＨＳ社が３社の場合には、ボタンを押下するたびに、第１の会社（例えばＮＴＴ−Ｐ：キャリア番号７３ｃｈ）→第２の会社（例えばＡＳＴＥＬ：キャリア番号７５ｃｈ）→第３の会社（例えばＤＤＩ：キャリア番号７７ｃｈ）→第１の会社（例えばＮＴＴ−Ｐ：キャリア番号７３ｃｈ）→……のように、順次切換えられる。
その他の構成と動作は、先の図１と同様である。
以上のように、この第４の実施の形態では、複数のＰＨＳ社の内の一社を選択して、その電界強度を表示するようにしている。
したがって、一台の電界強度表示装置のみで、現在携帯している一社の公衆用制御用キャリアに設定することによって、どの社のＰＨＳ端末にも対応することが可能になる。
なお、図２に示したような音声出力機能を有する場合、さらに、図３に示した時計機能を併有する場合についても、同様に実施することができる。
この電界強度表示装置によれば、スピーカ部から電界強度に応じたメッセージ等の音声を出力するので、ＰＨＳ等の携帯電話システムの利用者は、電話機端末の本体を取り出すことなく、暗所や、視覚障害者でも現在地の電界強度の確認が容易になる。
また、腕時計（リストウォッチ）の形状にしてデジタル時計の機能を付加し、液晶等の表示部に電界強度に応じたレベルと時刻とを可視表示するので、請求項１の電界強度表示装置による効果に加えて、小型化が可能になり、表示部のコストが低減されると共に、携帯性も向上される。
さらに、液晶等の表示部の文字盤を９０度回転可能にしているので、着脱式電界強度表示装置装着部を有するＰＨＳ端末等の携帯型電話システム本体と組み合わせて使用すれば、非携帯時の保管が容易になると共に、携帯時には、請求項１の電界強度表示装置と同様の効果が得られる。
また、複数の通信サービスの内から選択された１つの通信サービスの基地局から受信した無線信号に基づいて電界強度を検出し、その電界強度に応じたレベルを選択された通信サービスの識別情報と併せて表示するので、一台の表示装置のみで、複数の通信サービスの電界強度を知ることができる。
さらに、複数の通信サービスの内の１つを選択してその電界強度を検出／表示するためのキャリア切換えを可能にし、表示手段に強度および選択された通信サービスの識別情報を可視表示するので、任意の公衆用制御用キャリアを選択することができ、一台の表示装置のみで、複数の通信サービスの電界強度を知ることができる。
また、棒状の図形の表示によって電界強度のレベルを示すことができる。
【００３５】
【発明の効果】
この発明による電界強度表示装置によれば、現在地において複数の通信サービスの内から選択された通信サービスの電界強度を容易に知ることができる。
【図面の簡単な説明】
【図１】この発明の電界強度表示装置の機能を設ける基本装置の構成を示す機能ブロック図である。
【図２】図１に示した基本装置にこの発明の音声出力機能を設けた要部構成の実施の形態の一例を示す機能ブロック図である。
【図３】この発明の腕時計型電界強度表示装置について、その概略構造の実施の形態の一例を示す斜視図である。
【図４】この発明の腕時計型電界強度表示装置について、その要部構成の実施の形態の一例を示す機能ブロック図である。
【図５】この発明の文字盤回転機構を備えた腕時計型電界強度表示装置について、その実施の形態の一例を示す略正面図である。
【図６】図３に示した腕時計型電界強度表示装置と表示機能を有しないＰＨＳ端末本体とを合体させた状態について、その実施の形態の一例を示す概略図である。
【図７】脱着式電界強度表示装置装着部を有するＰＨＳ端末本体について、その構造の実施の形態の一例を示す図である。
【図８】この発明のキャリア切換え機能を備えた電界強度表示装置について、その実施の形態の一例を示す機能ブロック図である。
【符号の説明】
１  アンテナ
２  無線部
２ａ  電界強度検出部
３  制御部
４  表示制御部
５  ＬＣＤ
６  基地局
７  音声出力ボタン
８  音声出力部
９  記憶装置
１０  スピーカ
【図１】
0003545550.tif 000002
【図２】
0003545550.tif 000003
【図３】
0003545550.tif 000004
【図４】
0003545550.tif 000005
【図５】
0003545550.tif 000006
【図６】
0003545550.tif 000007
【図７】
0003545550.tif 000008
【図８】
0003545550.tif 000009